(57)【要約】【課題】利用者が所望のリンクデータを探索する時間を短縮することができ、その操作性を向上させて利用者のストレスを低減することができる携帯端末装置を提供する。【解決手段】複数の電子データＰＤをデータ記憶手段１１０が記憶し、利用者による利用履歴ＵＲを電子データＰＤにリンクさせて履歴記憶手段１２０が記憶する。複数の電子データＰＤの各々へのリンクデータＳＧを一覧表示手段１３０が一覧表示し、一覧表示したリンクデータＳＧの利用者による選択操作により、それにリンクしている電子データＰＤをデータ利用手段１４０が利用する。ただし、複数のリンクデータＳＧの一覧表示を、各々の利用履歴ＵＲに基づいて表示制御アプリケーション処理部１５０が制御する。【選択図】図５
2013246488.tif 000002
【特許請求の範囲】
【請求項１】
複数の電子データを記憶するデータ記憶手段と、
複数の前記電子データの各々へのリンクデータを一覧表示する一覧表示手段と、
一覧表示された前記リンクデータの選択操作により、そのリンクデータにリンクしている前記電子データを利用するデータ利用手段と、
前記データ利用手段が前記電子データを利用すると、その電子データにリンクさせて、そのデータ利用手段による利用履歴を記憶する履歴記憶手段と、
前記リンクデータを前記一覧表示手段が一覧表示するとき、そのリンクデータにリンクしている前記電子データの前記利用履歴の有無に基づいて、そのリンクデータの表示を制御する表示制御手段と、
を有する携帯端末装置。
【請求項２】
複数の電子データを記憶するデータ記憶手段と、
複数の前記電子データにリンクさせて前記データ記憶手段による記憶タイミングを記憶するタイミング記憶手段と、
複数の前記電子データの各々へのリンクデータを一覧表示する一覧表示手段と、
一覧表示された前記リンクデータの選択操作により、そのリンクデータにリンクしている前記電子データを利用するデータ利用手段と、
前記データ利用手段が前記電子データを利用すると、その電子データにリンクさせて、そのデータ利用手段による利用タイミングを記憶して更新する履歴記憶手段と、
前記リンクデータを前記一覧表示手段が一覧表示するとき、そのリンクデータにリンクしている前記電子データの前記利用タイミングと前記記憶タイミングとの相対関係に基づいて、そのリンクデータの表示を制御する表示制御手段と、
を有する携帯端末装置。
【請求項３】
前記表示制御手段は、前記利用履歴が対応して記憶されていない前記電子データにリンクしている前記リンクデータのみ前記一覧表示手段に一覧表示させる、
請求項１に記載の携帯端末装置。
【請求項４】
前記表示制御手段は、前記利用タイミングが前記記憶タイミングより以後の前記電子データにリンクしている前記リンクデータのみ前記一覧表示手段に一覧表示させる、
請求項２に記載の携帯端末装置。
【請求項５】
携帯端末装置のデータ処理方法であって、
複数の電子データを記憶するデータ記憶工程と、
複数の前記電子データの各々へのリンクデータを一覧表示する一覧表示工程と、
一覧表示された前記リンクデータの選択操作により、そのリンクデータにリンクしている前記電子データを利用するデータ利用工程と、
前記データ利用工程で前記電子データが利用されると、その電子データにリンクさせて、そのデータ利用工程での利用履歴を記憶する履歴記憶工程と、
前記リンクデータを一覧表示するときに、リンクしている前記電子データの前記利用履歴の有無に基づいて、そのリンクデータの表示を制御する表示制御工程と、
を有するデータ処理方法。
【請求項６】
携帯端末装置のデータ処理方法であって、
複数の電子データを記憶するデータ記憶工程と、
複数の前記電子データにリンクさせて前記データ記憶工程による記憶タイミングを記憶するタイミング記憶工程と、
複数の前記電子データの各々へのリンクデータを一覧表示する一覧表示工程と、
一覧表示された前記リンクデータの選択操作により、そのリンクデータにリンクしている前記電子データを利用するデータ利用工程と、
前記データ利用工程で前記電子データが利用されると、その電子データにリンクさせて、そのデータ利用工程での利用タイミングを記憶して更新する履歴記憶工程と、
前記リンクデータを一覧表示するときに、リンクしている前記電子データの前記利用タイミングと前記記憶タイミングとの相対関係に基づいて、そのリンクデータの表示を制御する表示制御工程と、
を有するデータ処理方法。
【請求項７】
携帯端末装置のコンピュータプログラムであって、
複数の電子データを記憶するデータ記憶処理と、
複数の前記電子データの各々へのリンクデータを一覧表示する一覧表示処理と、
一覧表示された前記リンクデータの選択操作により、そのリンクデータにリンクしている前記電子データを利用するデータ利用処理と、
前記データ利用処理で前記電子データが利用されると、その電子データにリンクさせて、そのデータ利用処理での利用履歴を記憶する履歴記憶処理と、
前記リンクデータを一覧表示するときに、リンクしている前記電子データの前記利用履歴の有無に基づいて、そのリンクデータの表示を制御する表示制御処理と、
を前記携帯端末装置に実行させるコンピュータプログラム。
【請求項８】
携帯端末装置のコンピュータプログラムであって、
複数の電子データを記憶するデータ記憶処理と、
複数の前記電子データにリンクさせて前記データ記憶処理による記憶タイミングを記憶するタイミング記憶処理と、
複数の前記電子データの各々へのリンクデータを一覧表示する一覧表示処理と、
一覧表示された前記リンクデータの選択操作により、そのリンクデータにリンクしている前記電子データを利用するデータ利用処理と、
前記データ利用処理で前記電子データが利用されると、その電子データにリンクさせて、そのデータ利用処理での利用タイミングを記憶して更新する履歴記憶処理と、
前記リンクデータを一覧表示するときに、リンクしている前記電子データの前記利用タイミングと前記記憶タイミングとの相対関係に基づいて、そのリンクデータの表示を制御する表示制御処理と、
を前記携帯端末装置に実行させるコンピュータプログラム。
【請求項９】
請求項１に記載の携帯端末装置のアプリケーションプログラムであって、
前記データ利用処理で前記電子データが利用されると、その電子データにリンクさせて、そのデータ利用処理による利用履歴を記憶する履歴記憶処理と、
前記リンクデータを前記一覧表示処理で一覧表示するとき、そのリンクデータにリンクしている前記電子データの前記利用履歴の有無に基づいて、そのリンクデータの表示を制御する表示制御処理とを、
前記携帯端末装置に実行させるアプリケーションプログラム。
【請求項１０】
請求項２に記載の携帯端末装置のアプリケーションプログラムであって、
複数の前記電子データにリンクさせて前記データ記憶手段による記憶タイミングを記憶するタイミング記憶手段と、
前記データ利用手段が前記電子データを利用すると、その電子データにリンクさせて、そのデータ利用手段による利用タイミングを記憶して更新する履歴記憶手段と、
前記リンクデータを前記一覧表示手段が一覧表示するとき、そのリンクデータにリンクしている前記電子データの前記利用タイミングと前記記憶タイミングとの相対関係に基づいて、そのリンクデータの表示を制御する表示制御手段とを、
前記携帯端末装置に実行させるアプリケーションプログラム。
【発明の詳細な説明】
【技術分野】
【０００１】
本発明は、複数の電子データを記憶して利用する携帯端末装置、そのデータ処理方法およびコンピュータプログラムおよびアプリケーションプログラム、に関する。
【背景技術】
【０００２】
現在、いわゆるスマートフォンやタブレット端末や電子書籍リーダーなどの携帯端末装置が、広範に普及している。このような携帯端末装置においては、例えば、複数の画像データを記憶しておくことができる。そして、上述のような携帯端末装置には、上述のように記憶した画像データを利用する、ビューアープログラムやメーラープログラムやＳＮＳ（social networking service）プログラムなどの、アプリケーションプログラムも実装している。
【０００３】
そこで、利用者が携帯端末装置の所望のアプリケーションプログラムで所望の画像データを利用したい場合、例えば、タッチパネルの操作により所望のアプリケーションプログラムを起動させ、そのアプリケーションプログラムで利用される複数の画像データのサムネイル画像をタッチパネルに一覧表示させる。
【０００４】
このような状態で、所望の画像データのサムネイル画像を利用者が手指で操作して選択することで、その画像データをアプリケーションプログラムで利用することができる。ただし、携帯端末装置においては、タッチパネルのサイズも限定されている。このため、携帯端末装置においては、タッチパネルに一覧表示するサムネイル画像の個数も制限されている。そこで、サムネイル画像が多数の場合には、利用者は、携帯端末装置のタッチパネルで、いわゆるスクロール操作やページ切換操作などを実行し、所望のサムネイル画像を探すことになる。
【０００５】
なお、サムネイル画像を用いたシーンサーチを良好に行うことを目的とした情報処理装置の技術が特許文献１に開示されている。その技術においては、例えば、動画コンテンツの視聴時に、利用者が情報処理装置を操作すると、この操作情報などをもとにして、特徴フレーム毎のサムネイル表示回数、動画の表示回数などを調べ、利用者操作ログ情報として記録しておく。
【０００６】
そして、この情報処理装置は、上述の利用者操作ログ情報をもとに、特徴フレーム毎の第二の重要度を算出する。つぎに、この情報処理装置は、上述のように算出した第二の重要度と、特徴フレームの特徴の強さを反映した第一の重要度と、からサムネイル化する特徴フレームを決定し、この特徴フレームに対応するサムネイル画像を画面に表示する。
【０００７】
このように、特許文献１に開示された情報処理装置の技術では、特徴フレーム毎に、特徴の強さを反映した第一の重要度と、利用者がサーチで見逃している可能性の高さを反映した第二の重要度と、からサムネイル化する特徴フレームを決定するので、利用者に良好なシーンサーチ環境を提供することができる。
【先行技術文献】
【特許文献】
【０００８】
【特許文献１】特開２０１１−２０３８２１号公報
【発明の概要】
【発明が解決しようとする課題】
【０００９】
しかしながら、利用する画像データのサムネイル画像を利用者が選択操作する際に、一画面上に多数のサムネイル画像を一覧表示すると、利用者は利用したい画像データのサムネイル画像を探しにくい。
【００１０】
さらに、サムネイル画像が多数で一画面上に全部を表示できない場合、利用者は携帯端末装置で画面切換操作（スクロール、ページ送りなど）を実行する必要がある。このような場合、利用者が所望のサムネイルを画面に表示させて発見するまでに、煩雑な操作と多分な時間とを必要とする。このため、携帯端末装置を利用する利用者にストレスを与えることとなる。
【００１１】
しかも、上述のような画面切換操作では、携帯端末装置は、画面ごとにサムネイル画像を描画して表示する処理を実行することになる。このため、サムネイル画像の描画や画面切換操作を実行する携帯端末装置の、ＣＰＵ（Central Processing Unit）などのハードウェアの処理負担も増大する。
【００１２】
一方、特許文献１に記載の発明は、動画データのシーンサーチに特化したものであり、特徴フレーム毎に、特徴の強さを反映した第一の重要度と、利用者がサーチで見逃している可能性の高さを反映した第二の重要度とに基づいて、表示するサムネイル画像を決定する技術である。
【００１３】
このため、特許文献１に記載の発明においては、サムネイル画像の選択的な表示に、その動画データの内容を反映することになり、利用者の所望するサムネイル画像を表示できない可能性がある。
【００１４】
本発明は、上述のような課題を解決する携帯端末装置、そのデータ処理方法およびコンピュータプログラムおよびアプリケーションプログラム、を提供する。
【課題を解決するための手段】
【００１５】
本発明の第一の携帯端末装置は、複数の電子データを記憶するデータ記憶手段と、複数の前記電子データの各々へのリンクデータを一覧表示する一覧表示手段と、一覧表示された前記リンクデータの選択操作により、そのリンクデータにリンクしている前記電子データを利用するデータ利用手段と、前記データ利用手段が前記電子データを利用すると、その電子データにリンクさせて、そのデータ利用手段による利用履歴を記憶する履歴記憶手段と、前記リンクデータを前記一覧表示手段が一覧表示するとき、そのリンクデータにリンクしている前記電子データの前記利用履歴の有無に基づいて、そのリンクデータの表示を制御する表示制御手段と、を有する。
【００１６】
本発明の第二の携帯端末装置は、複数の電子データを記憶するデータ記憶手段と、複数の前記電子データにリンクさせて前記データ記憶手段による記憶タイミングを記憶するタイミング記憶手段と、複数の前記電子データの各々へのリンクデータを一覧表示する一覧表示手段と、一覧表示された前記リンクデータの選択操作により、そのリンクデータにリンクしている前記電子データを利用するデータ利用手段と、前記データ利用手段が前記電子データを利用すると、その電子データにリンクさせて、そのデータ利用手段による利用タイミングを記憶して更新する履歴記憶手段と、前記リンクデータを前記一覧表示手段が一覧表示するとき、そのリンクデータにリンクしている前記電子データの前記利用タイミングと前記記憶タイミングとの相対関係に基づいて、そのリンクデータの表示を制御する表示制御手段と、を有する携帯端末装置において、前記表示制御手段は、前記利用履歴が対応して記憶されていない前記電子データにリンクしている前記リンクデータのみ前記一覧表示手段に一覧表示させる。
【００１７】
本発明の第一のデータ処理方法は、本発明の第一の携帯端末装置のデータ処理方法であって、複数の電子データを記憶するデータ記憶工程と、複数の前記電子データの各々へのリンクデータを一覧表示する一覧表示工程と、一覧表示された前記リンクデータの選択操作により、そのリンクデータにリンクしている前記電子データを利用するデータ利用工程と、前記データ利用工程で前記電子データが利用されると、その電子データにリンクさせて、そのデータ利用工程での利用履歴を記憶する履歴記憶工程と、前記リンクデータを前記一覧表示工程で一覧表示するとき、そのリンクデータにリンクしている前記電子データの前記利用履歴の有無に基づいて、そのリンクデータの表示を制御する表示制御工程と、を有する。
【００１８】
本発明の第二のデータ処理方法は、本発明の第二のデータ処理方法であって、携帯端末装置のデータ処理方法であって、複数の電子データを記憶するデータ記憶工程と、複数の前記電子データにリンクさせて前記データ記憶工程による記憶タイミングを記憶するタイミング記憶工程と、複数の前記電子データの各々へのリンクデータを一覧表示する一覧表示工程と、一覧表示された前記リンクデータの選択操作により、そのリンクデータにリンクしている前記電子データを利用するデータ利用工程と、前記データ利用工程で前記電子データが利用されると、その電子データにリンクさせて、そのデータ利用工程での利用タイミングを記憶して更新する履歴記憶工程と、前記リンクデータを前記一覧表示工程で一覧表示するとき、そのリンクデータにリンクしている前記電子データの前記利用タイミングと前記記憶タイミングとの相対関係に基づいて、そのリンクデータの表示を制御する表示制御工程と、を有する。
【００１９】
本発明の第一のコンピュータプログラムは、本発明の第一の携帯端末装置のコンピュータプログラムであって、複数の電子データを記憶するデータ記憶処理と、複数の前記電子データの各々へのリンクデータを一覧表示する一覧表示処理と、一覧表示された前記リンクデータの選択操作により、そのリンクデータにリンクしている前記電子データを利用するデータ利用処理と、前記データ利用処理で前記電子データが利用されると、その電子データにリンクさせて、そのデータ利用処理での利用履歴を記憶する履歴記憶処理と、前記リンクデータを前記一覧表示処理で一覧表示するとき、そのリンクデータにリンクしている前記電子データの前記利用履歴の有無に基づいて、そのリンクデータの表示を制御する表示制御処理と、を前記携帯端末装置に実行させる。
【００２０】
本発明の第二のコンピュータプログラムは、本発明の第二の携帯端末装置のコンピュータプログラムであって、複数の電子データを記憶するデータ記憶処理と、複数の前記電子データにリンクさせて前記データ記憶処理による記憶タイミングを記憶するタイミング記憶処理と、複数の前記電子データの各々へのリンクデータを一覧表示する一覧表示処理と、一覧表示された前記リンクデータの選択操作により、そのリンクデータにリンクしている前記電子データを利用するデータ利用処理と、前記データ利用処理で前記電子データが利用されると、その電子データにリンクさせて、そのデータ利用処理での利用タイミングを記憶して更新する履歴記憶処理と、前記リンクデータを前記一覧表示処理で一覧表示するとき、そのリンクデータにリンクしている前記電子データの前記利用タイミングと前記記憶タイミングとの相対関係に基づいて、そのリンクデータの表示を制御する表示制御処理と、を前記携帯端末装置に実行させる。
【００２１】
本発明の第一のアプリケーションプログラムは、本発明の第一の携帯端末装置のアプリケーションプログラムであって、前記データ利用処理で前記電子データが利用されると、その電子データにリンクさせて、そのデータ利用処理による利用履歴を記憶する履歴記憶処理と、前記リンクデータを前記一覧表示処理で一覧表示するとき、そのリンクデータにリンクしている前記電子データの前記利用履歴の有無に基づいて、そのリンクデータの表示を制御する表示制御処理とを、前記携帯端末装置に実行させる。
【００２２】
本発明の第二のアプリケーションプログラムは、本発明の第二の携帯端末装置のアプリケーションプログラムであって、複数の前記電子データにリンクさせて前記データ記憶手段による記憶タイミングを記憶するタイミング記憶手段と、前記データ利用手段が前記電子データを利用すると、その電子データにリンクさせて、そのデータ利用手段による利用タイミングを記憶して更新する履歴記憶手段と、前記リンクデータを前記一覧表示手段が一覧表示するとき、そのリンクデータにリンクしている前記電子データの前記利用タイミングと前記記憶タイミングとの相対関係に基づいて、そのリンクデータの表示を制御する表示制御手段とを、前記携帯端末装置に実行させる。
【発明の効果】
【００２３】
本発明の第一の携帯端末装置においては、複数のリンクデータの一覧表示をリンクしている前記電子データにリンクさせて記憶されている利用履歴に基づいて制御するので、例えば、一覧表示する複数のリンクデータを対応する利用履歴に基づいて一部に制限するようなことができる。従って、利用者が所望のリンクデータを探索する時間を短縮することができ、その操作性を向上させて利用者のストレスを低減することができる。
【図面の簡単な説明】
【００２４】
【図１】本発明の実施の第一の形態の携帯端末装置であるスマートフォンの論理構造を示す模式的なブロック図である。
【図２】本発明の実施の第一の形態のスマートフォンの論理構造を示す模式的なブロック図である。
【図３】本発明の実施の第一の形態のスマートフォンの物理構造を示す模式的なブロック図である。
【図４】本発明の実施の第一の形態のスマートフォンの外観を示す模式的な斜視図である。
【図５】本発明の実施の第一の形態のスマートフォンの論理構造を示す模式的なブロック図である。
【図６】本発明の実施の第一の形態のスマートフォンによるデータ処理方法を示すフローチャートである。
【図７】本発明の実施の第一の形態のスマートフォンの履歴記憶手段である利用履歴データベースのデータ構造を示す模式図である。
【図８】本発明の実施の第一の形態のスマートフォンの利用履歴データベースのデータ構造を示す模式図である。
【図９】本発明の実施の第二の形態の携帯端末装置であるスマートフォンの論理構造を示す模式的なブロック図である。
【図１０】本発明の実施の第二の形態のスマートフォンの論理構造を示す模式的なブロック図である。
【発明を実施するための形態】
【００２５】
本発明の実施の第一の形態に関して図１ないし図８を参照して以下に説明する。なお、本発明の各種の構成要素は、その機能を実現するように形成されていればよい。例えば、所定の機能を発揮する専用のハードウェア、所定の機能をコンピュータプログラムにより付与したコンピュータ装置、コンピュータプログラムによりコンピュータ装置に実現した所定の機能、これらの任意の組み合わせ、等として実現することができる。
【００２６】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２７】
また、本発明のコンピュータプログラムおよびデータ処理方法は、複数の処理および動作を順番に記載してあるが、その記載の順番は複数の処理および複数の動作を実行する順番を限定するものではない。このため、本発明のコンピュータプログラムおよびデータ処理方法を実施するときには、その複数の処理および複数の動作の順番は内容的に支障しない範囲で変更することができる。
【００２８】
さらに、本発明のコンピュータプログラムおよびデータ処理方法は、複数の処理および複数の動作を個々に相違するタイミングで実行することに限定されない。このため、ある処理および動作の実行中に他の処理および動作が発生すること、ある処理および動作の実行タイミングと他の処理および動作の実行タイミングとの一部ないし全部が重複していること、等でもよい。
【００２９】
本実施の形態の携帯端末装置であるスマートフォン１００は、図３に示すように、ハードウェアとして、ＣＰＵ１０１と、ＲＯＭ(Read Only Memory)１０２と、ＲＡＭ(Random Access Memory)１０３と、図３および図４に示すように、タッチパネル１０４と、カメラモジュール１０５と、通信デバイス１０６と、スピーカユニット１０７と、マイクロフォンユニット１０８と、を有している。
【００３０】
ＣＰＵ１０１には、図３に示すように、ＲＯＭ１０２と、ＲＡＭ１０３と、タッチパネル１０４と、カメラモジュール１０５と、通信デバイス１０６と、スピーカユニット１０７と、マイクロフォンユニット１０８と、を接続している。なお、図３では表記を簡単とするため、ＣＰＵ１０１に上述のような各種のハードウェアが直接に接続してあることを図示している。しかしながら、実際にはＩ／Ｏ(Input/Output)ポートやドライバ回路などの各種のハードウェア（図示せず）を経由して接続している。
【００３１】
ＣＰＵ１０１は、実際にはワンチップマイコンでよく、現在タイミングである現在日時をリアルタイムに発生する時計部１０９を内蔵している。ＲＯＭ１０２は、ＣＰＵ１０１のＯＳ(Operating System)等を固定的に記憶しており、ＲＡＭ１０３は、各種のアプリケーションプログラムおよびリソースおよび画像データＰＤなどの電子データを更新自在に記憶している。
【００３２】
なお、本実施の形態では説明を簡単とするため、上述のような各種のアプリケーションプログラムや電子データを更新自在に記憶するハードウェアとしてＲＡＭ１０３を例示している。しかしながら、これは実際には、不揮発性のフラッシュメモリやＥＥＰＲＯＭ(Electrically Erasable Programmable ROM)でもよい。
【００３３】
本実施の形態のスマートフォン１００は、上述のようなＯＳおよび各種のアプリケーションプログラムおよび各種の電子データに対応して、ＣＰＵ１０１が各種の処理動作を実行することにより、各種手段を各種機能として論理的に実現している。このため、本実施の形態のスマートフォン１００は、図１および図２および図５に示すように、データ記憶手段である画像データベース１１０と、履歴記憶手段である利用履歴データベース１２０と、一覧表示手段であるギャラリーアプリケーション処理部１３０と、データ利用手段である画像利用アプリケーション処理部１４０と、表示制御手段である表示制御アプリケーション処理部１５０と、履歴リセット手段である履歴リセットアプリケーション処理部１６０と、を論理的に有する。
【００３４】
また、図５においては、本実施の形態のスマートフォン１００の論理構成を明確とするため、利用履歴データベース１２０および表示制御アプリケーション処理部１５０が、ギャラリーアプリケーション処理部１３０の外部にある構成を表記している。しかしながら、実際のスマートフォン１００においては、図１および図２に示すように、利用履歴データベース１２０および表示制御アプリケーション処理部１５０は、ギャラリーアプリケーション処理部１３０の内部に一体に組み込まれる。
【００３５】
画像データベース１１０は、例えば、ＲＡＭ１０３に確保した記憶エリアにより構成されており、複数の電子データである画像データＰＤを記憶する。同様に、利用履歴データベース１２０も、例えば、ＲＡＭ１０３に確保した記憶エリアにより構成されている。
【００３６】
この利用履歴データベース１２０は、利用者（図示せず）の操作により画像利用アプリケーション処理部１４０が画像データＰＤを利用すると、その画像利用アプリケーション処理部１４０の利用履歴ＵＲを、その画像データＰＤにリンクさせて記憶する。
【００３７】
より具体的には、このような画像利用アプリケーション処理部１４０の利用履歴ＵＲは、例えば、図１に示すように、その画像利用アプリケーション処理部１４０の識別情報である“アプリＡ”などのアプリケーション処理部名などからなる。また、この画像利用アプリケーション処理部１４０に画像データＰＤをリンクさせる手段も、画像データＰＤの識別情報である“画像Ａ”などの画像名などからなる。
【００３８】
ギャラリーアプリケーション処理部１３０は、例えば、ＯＳやアプリケーションプログラムを読み込んだＣＰＵ１０１のデータ処理により、スマートフォン１００に論理的に実現されている。このギャラリーアプリケーション処理部１３０は、図４に示すような、複数の画像データＰＤの各々へのリンクデータであるサムネイル画像ＳＧを、タッチパネル１０４に一覧表示する。
【００３９】
同様に、画像利用アプリケーション処理部１４０も、例えば、ＯＳやアプリケーションプログラムを読み込んだＣＰＵ１０１のデータ処理により、スマートフォン１００に実現された論理的に実現されている。
【００４０】
本実施の形態のスマートフォン１００は、複数種類のアプリケーションプログラムに個々に対応したアイコン画像ＩＧも、画像データＰＤのサムネイル画像ＳＧと同様に、タッチパネル１０４に一覧表示する。
【００４１】
そこで、利用者がアイコン画像ＩＧの選択操作により画像利用アプリケーション処理部１４０を起動すると、この画像利用アプリケーション処理部１４０は、ギャラリーアプリケーション処理部１３０にサムネイル画像ＳＧの一覧表示を要求する。
【００４２】
すると、ギャラリーアプリケーション処理部１３０は、その画像利用アプリケーション処理部１４０が利用する画像データＰＤを画像データベース１１０から取得し、タッチパネル１０４に一覧表示する。
【００４３】
このような状態で、画像利用アプリケーション処理部１４０は、ギャラリーアプリケーション処理部１３０がタッチパネル１０４に一覧表示したサムネイル画像ＳＧから一つを選択する利用者の操作を認識し、この操作で選択されたサムネイル画像ＳＧにリンクしている画像データＰＤを利用する。
【００４４】
表示制御アプリケーション処理部１５０も、例えば、ＯＳやアプリケーションプログラムを読み込んだＣＰＵ１０１のデータ処理により、スマートフォン１００に論理的に実現されている。
【００４５】
この表示制御アプリケーション処理部１５０は、起動された画像利用アプリケーション処理部１４０に対応してギャラリーアプリケーション処理部１３０がタッチパネル１０４に一覧表示する複数のサムネイル画像ＳＧを、そのサムネイル画像ＳＧにリンクされている画像データＰＤの、該当する画像利用アプリケーション処理部１４０を識別する利用履歴ＵＲに基づいて制御する。
【００４６】
上述したスマートフォン１００の表示制御アプリケーション処理部１５０に関して、より具体的に以下に説明する。本実施の形態のスマートフォン１００は、図１および図２および図５に示すように、利用者が選択的に使用する複数の画像利用アプリケーション処理部１４０を実装している。
【００４７】
そして、利用履歴データベース１２０は、利用者の操作により一つの画像利用アプリケーション処理部１４０が一つの画像データＰＤを利用すると、その画像利用アプリケーション処理部１４０を識別する利用履歴ＵＲを、その画像データＰＤにリンクさせて記憶する。
【００４８】
表示制御アプリケーション処理部１５０は、画像利用アプリケーション処理部１４０がタッチパネル１０４に一覧表示したサムネイル画像ＳＧにより、利用する画像データＰＤを利用者が選択操作するとき、その画像利用アプリケーション処理部１４０により利用された画像データＰＤを利用履歴ＵＲの有無により特定する。
【００４９】
これで表示制御アプリケーション処理部１５０は、利用履歴ＵＲが記録されている画像データＰＤのサムネイル画像ＳＧの、ギャラリーアプリケーション処理部１３０による表示をさせないためのデータ処理を実行する。
【００５０】
このようなデータ処理により、表示制御アプリケーション処理部１５０は、ギャラリーアプリケーション処理部１３０がタッチパネル１０４に一覧表示する複数のサムネイル画像ＳＧを、サムネイル画像ＳＧにリンクされている画像データＰＤの利用履歴ＵＲの有無に基づいて一部に制限する。
【００５１】
履歴リセットアプリケーション処理部１６０も、やはりアプリケーションプログラムを読み込んだＣＰＵ１０１のデータ処理により、スマートフォン１００に論理的に実現されている。
【００５２】
この履歴リセットアプリケーション処理部１６０は、画像データＰＤにリンクさせて利用履歴ＵＲの記憶個数が規定個数に到達すると、これを所定条件の発生として利用履歴ＵＲをリセット（初期化）する。なお、この利用履歴ＵＲのリセットとは、利用履歴データベース１２０が画像データＰＤにリンクさせて記憶した利用履歴ＵＲを消去することを意味する。
【００５３】
より具体的には、図１および図２等に示すように、利用履歴データベース１２０は、画像データＰＤにリンクさせて、画像利用アプリケーション処理部１４０を識別する利用履歴ＵＲを三つまで蓄積する。
【００５４】
そして、履歴リセットアプリケーション処理部１６０は、画像データＰＤの利用履歴ＵＲの記憶個数が三つに到達すると、これを所定条件の発生として利用履歴ＵＲを消去（リセット）するデータ処理を実行する。
【００５５】
上述のようなスマートフォン１００のＯＳやアプリケーションプログラムからなるコンピュータプログラムは、例えば、ＲＡＭ１０３に確保した記憶エリアに複数の画像データＰＤを記憶させる処理、ＲＡＭ１０３に確保した記憶エリアに、画像データＰＤの利用を利用者により発生した画像データＰＤにリンクさせて利用履歴ＵＲを記憶させる処理、をＣＰＵ１０１に実行させるように記述されている。
【００５６】
さらに、複数の画像データＰＤの各々へのサムネイル画像ＳＧをタッチパネル１０４に一覧表示させる処理、一覧表示したサムネイル画像ＳＧの利用者による選択により、そのサムネイル画像ＳＧにリンクしている画像データＰＤを利用する処理、もＣＰＵ１０１に実行させるように記述されている。
【００５７】
さらに、画像利用アプリケーション処理部１４０を識別する利用履歴ＵＲが記録されているサムネイル画像ＳＧの、ギャラリーアプリケーション処理部１３０による表示をさせないためのデータ処理を実行する処理、もＣＰＵ１０１に実行させるように記述されている。そして、画像データＰＤにリンクさせて利用履歴ＵＲの記憶個数が規定個数に到達すると利用履歴ＵＲをリセットする処理、もＣＰＵ１０１に実行させるように記述されている。
【００５８】
なお、前述した表示制御アプリケーション処理部１５０を論理的に実現するコンピュータプログラムは、例えば、既存のスマートフォン１００に、利用者が所望によりインターネットなどからダウンロードしてインストールするアプリケーションプログラムとして供給することもできる。
【００５９】
上述のような構成を具備した、本実施の形態のスマートフォン１００によるデータ処理方法を、以下に詳細に説明する。まず、本実施の形態のスマートフォン１００は、例えば、利用者の操作による、カメラモジュール１０５の撮影処理や、通信デバイス１０６によるデータ受信などにより、複数の画像データＰＤを画像データベース１１０に蓄積する。
【００６０】
このような状態で、例えば、本実施の形態のスマートフォン１００は、初期状態として、図４のサムネイル画像ＳＧと同様に、複数種類のアプリケーションプログラムの各々に個々に対応した複数のアイコン画像ＩＧを、タッチパネル１０４に表示出力する（図示せず）。
【００６１】
そこで、利用者が所望により画像利用アプリケーション処理部１４０のアイコン画像ＩＧを選択的に操作すると、そのアイコン画像ＩＧにリンクされている画像利用アプリケーション処理部１４０のアプリケーションプログラムが実行される。
【００６２】
すると、スマートフォン１００は、例えば、画像データＰＤを利用して電子メール送信などのデータ処理を実行する画像利用アプリケーション処理部１４０を、論理的に実装する(ステップＳ１)。
【００６３】
すると、この画像利用アプリケーション処理部１４０が利用する画像データＰＤを、ギャラリーアプリケーション処理部１３０が画像データベース１１０から取得し(ステップＳ２)、そのサムネイル画像ＳＧをタッチパネル１０４に一覧表示する。
【００６４】
ただし、このときにギャラリーアプリケーション処理部１３０がタッチパネル１０４に一覧表示するサムネイル画像ＳＧを、そのサムネイル画像ＳＧにリンクされている画像データＰＤの利用履歴ＵＲに基づいて、表示制御アプリケーション処理部１５０が制御する(ステップＳ３)。
【００６５】
より具体的には、利用履歴データベース１２０には、図７および図８に示すように、画像利用アプリケーション処理部１４０が画像データＰＤを利用したときの、画像利用アプリケーション処理部１４０を識別する利用履歴ＵＲを画像データＰＤにリンクさせて記憶している。
【００６６】
例えば、ギャラリーアプリケーション処理部１３０の利用履歴データベース１２０が、図７に示すように、”画像１”なる画像データＰＤに対し、”アプリＡ”および“アプリＢ”なるアプリケーションプログラムの画像利用アプリケーション処理部１４０を識別する利用履歴ＵＲがあり、”画像２”および“画像３”なる画像データＰＤに対し、”アプリＢ”なるアプリケーションプログラムの画像利用アプリケーション処理部１４０を識別する利用履歴ＵＲを記憶しているとする。
【００６７】
このような状態で、利用者が”アプリＡ”なるアプリケーションプログラムを選択的に起動しすると、スマートフォン１００が画像利用アプリケーション処理部１４０を実装する。
【００６８】
すると、ギャラリーアプリケーション処理部１３０は、”アプリＡ”なるアプリケーションプログラムの画像利用アプリケーション処理部１４０を識別する利用履歴ＵＲが対応して記憶されている、”画像１”なる画像データＰＤを特定し、この画像データＰＤのサムネイル画像ＳＧはタッチパネル１０４に表示しないデータ処理を実行する。
【００６９】
一方、”アプリＡ”なるアプリケーションプログラムの画像利用アプリケーション処理部１４０を識別する利用履歴ＵＲが対応して記憶されていない、”画像２”および“画像３”なる画像データＰＤを特定し、これらの画像データＰＤのサムネイル画像ＳＧはタッチパネル１０４に一覧表示するデータ処理を実行する。
【００７０】
より具体的には、ギャラリーアプリケーション処理部１３０は、画像データベース１１０から”アプリＡ”なる利用履歴ＵＲが対応して記憶されている”画像１”なる画像データＰＤは取得せず、”アプリＡ”なる利用履歴ＵＲが対応して記憶されていない”画像２”および“画像３”なる画像データＰＤのみ取得してサムネイル画像ＳＧを一覧表示する。
【００７１】
つまり、スマートフォン１００のタッチパネル１０４は、”画像１”なるサムネイル画像ＳＧは表示せず、”画像２”および“画像３”なるサムネイル画像ＳＧのみ一覧表示することとなる。このような状態で、例えば、利用者が”画像２”なる画像データＰＤのサムネイル画像ＳＧを利用者が選択操作すると、”アプリＡ”なるアプリケーションプログラムの画像利用アプリケーション処理部１４０は、”画像２”なる画像データＰＤを、電子メール送信などに利用する(ステップＳ３)。
【００７２】
このとき、この”画像２”なる画像データＰＤを、”アプリＡ”なるアプリケーションプログラムの画像利用アプリケーション処理部１４０が利用した、との利用履歴ＵＲを、図８に示すように、利用履歴データベース１２０が記憶する(ステップＳ４)。つまり、利用履歴データベース２０は、”画像２”なる画像データＰＤに対し、”アプリＡ”なる利用履歴ＵＲを記憶する。
【００７３】
従って、次回に”アプリＡ”なるアプリケーションプログラムの画像利用アプリケーション処理部１４０を起動したときには、ギャラリーアプリケーション処理部１３０は、”画像１”なる画像データＰＤのサムネイル画像ＳＧだけでなく、”画像２”なる画像データＰＤのサムネイル画像ＳＧも一覧表示させないデータ処理を実行する。
【００７４】
なお、本実施の形態のスマートフォン１００の利用履歴データベース１２０は、図７および図８に示すように、画像データＰＤにリンクさせて、その画像データＰＤを利用した画像利用アプリケーション処理部１４０を識別する利用履歴ＵＲを三つまで蓄積する。
【００７５】
そして、履歴リセットアプリケーション処理部１６０は、利用履歴データベース１２０が、画像データＰＤにリンクさせて蓄積する利用履歴ＵＲの個数を監視する。ある画像データＰＤの利用履歴ＵＲの個数が三つとなると、これを所定条件の発生として、その画像データＰＤの三つの利用履歴ＵＲを消去（リセット）するデータ処理を実行する。
【００７６】
本実施の形態のスマートフォン１００は、携帯サイズなのでタッチパネル１０４の画面サイズも限定されている。このため、一覧表示できるサムネイル画像ＳＧの個数が制限されている。
【００７７】
従って、本実施の形態のスマートフォン１００は、同一の画像データＰＤを同一の目的で再度利用する可能性が低いことに注目し、上述のように利用者が特定の画像利用アプリケーション処理部１４０で利用した画像データＰＤのサムネイル画像ＳＧは、同一の画像利用アプリケーション処理部１４０で次回に利用する画像データＰＤのサムネイル画像ＳＧとして表示しないデータ処理を実行する。
【００７８】
そして、本実施の形態のスマートフォン１００は、上述のようなデータ処理により、ギャラリーアプリケーション処理部１３０がタッチパネル１０４に一覧表示するサムネイル画像ＳＧの個数を削減する。従って、ＣＰＵ１０１の処理負担を軽減することができ、サムネイル画像ＳＧの一覧表示の処理時間も短縮することができる。
【００７９】
さらに、本実施の形態のスマートフォン１００のデータ処理によれば、上述のようにタッチパネル１０４に一覧表示するサムネイル画像ＳＧを削減することで、利用者が全部のサムネイル画像ＳＧを探索するために必要な、画面切替操作や画面スクロール操作などの労力を軽減または無用とすることができる。
【００８０】
従って、本実施の形態のスマートフォン１００を利用する利用者による所望のサムネイル画像ＳＧの探索時間を短縮することができ、スマートフォン１００の操作性を向上させて利用者のストレスを低減することができる。
【００８１】
しかも、本実施の形態のスマートフォン１００は、サムネイル画像ＳＧの一覧表示のデータ処理において、そのサムネイル画像ＳＧにリンクしている画像データＰＤの任意の画像利用アプリケーション処理部１４０による利用履歴ＵＲを利用しているものの、前述した特許文献１の発明とは相違して、動画データの特徴フレームの強さなどの情報は利用していない。
【００８２】
このため、本実施の形態のスマートフォン１００は、特許文献１に記載の発明とは相違して、画像データＰＤの内容とは無関係に、利用者の所望による画像利用アプリケーション処理部１４０での画像データＰＤの利用履歴ＵＲに、その画像利用アプリケーション処理部１４０で利用される可能性が高いと推測される画像データＰＤのサムネイル画像ＳＧを一覧表示することができる。
【００８３】
つぎに、本発明の実施の第二の形態の携帯端末装置であるスマートフォン２００を、図９および図１０を参照して以下に説明する。なお、本実施の形態のスマートフォン２００に関して、上述した実施の第一の形態のスマートフォン１００と同一の部分は、同一の名称および符号を使用して説明する。
【００８４】
本実施の形態のスマートフォン２００も、データ記憶手段およびタイミング記憶手段である画像データベース２１０と、履歴記憶手段である起動日時データベース(起動時間記録表)２２０と、一覧表示手段であるギャラリーアプリケーション処理部１３０と、データ利用手段である画像利用アプリケーション処理部１４０と、表示制御手段である表示制御アプリケーション処理部１５０と、を有する。
【００８５】
本実施の形態のスマートフォン２００の画像データベース２１０は、例えば、ＲＡＭ１０３に確保した記憶エリアにより構成されており、利用者により画像データＰＤが記録されたとき、その記録タイミングである記憶日時ＳＴを、その画像データＰＤにリンクさせて記憶する。
【００８６】
起動日時データベース２２０は、例えば、ＲＡＭ１０３に確保した記憶エリアにより構成されており、利用者が画像利用アプリケーション処理部１４０を起動したとき、その利用タイミングである利用日時ＳＴを記憶して更新する。
【００８７】
ギャラリーアプリケーション処理部１３０は、例えば、ＯＳやアプリケーションプログラムを読み込んだＣＰＵ１０１のデータ処理により、スマートフォン２００に論理的に実現されている。ギャラリーアプリケーション処理部１３０は、複数の画像データＰＤの各々へのリンクデータであるサムネイル画像ＳＧを、タッチパネル１０４に一覧表示する。
【００８８】
画像利用アプリケーション処理部１４０も、例えば、ＯＳやアプリケーションプログラムを読み込んだＣＰＵ１０１のデータ処理により、スマートフォン１００に論理的に実現されている。
【００８９】
画像利用アプリケーション処理部１４０は、ギャラリーアプリケーション処理部１３０がタッチパネル１０４に一覧表示したサムネイル画像ＳＧから一つを選択する利用者の操作を認識し、この操作で選択されたサムネイル画像ＳＧにリンクしている画像データＰＤを利用する。
【００９０】
表示制御アプリケーション処理部１５０も、例えば、ＯＳやアプリケーションプログラムを読み込んだＣＰＵ１０１のデータ処理により、スマートフォン１００に論理的に実現されている。
【００９１】
ただし、本実施の形態のスマートフォン２００の表示制御アプリケーション処理部１５０は、上述のようにギャラリーアプリケーション処理部１３０が画像利用アプリケーション処理部１４０に対応してサムネイル画像ＳＧをタッチパネル１０４に一覧表示するとき、その画像利用アプリケーション処理部１４０の前回の起動日時ＵＴより、以後に記録された画像データＰＤのサムネイル画像ＳＧのみ表示させ、以前に記録された画像データＰＤのサムネイル画像ＳＧは表示させないデータ処理を実行する。
【００９２】
なお、本実施の形態のスマートフォン２００は、上述のように記憶日時ＳＴと起動日時ＵＴとを記憶するデータ処理にあたり、ＣＰＵ（図示せず）の時計部１０９がリアルタイムに出力する現在日時を参照する。
【００９３】
上述のような構成を具備した本実施の形態のスマートフォン２００によるデータ処理方法を以下に詳細に説明する。本実施の形態のスマートフォン２００は、例えば、利用者がカメラモジュール１０５を撮影操作することにより、カメラモジュール１０５が画像データＰＤを生成する。
【００９４】
このカメラモジュール１０５は、生成した画像データＰＤを画像データベース２１０に記録する。このとき、例えば、カメラモジュール１０５が、その画像データＰＤにリンクさせて、その記憶タイミングである記憶日時ＳＴも画像データベース２１０に記録する。
【００９５】
一方、本実施の形態のスマートフォン２００は、上述のように画像データベース２１０に記憶された画像データＰＤを、起動した画像利用アプリケーション処理部１４０により電子メール送信などの所定動作に利用する。
【００９６】
このように画像データＰＤを利用する画像利用アプリケーション処理部１４０を利用者が起動すると、例えば、その画像利用アプリケーション処理部１４０は、自身の起動日時ＵＴを起動日時データベース２２０に記録して更新する。
【００９７】
このような状態で、利用者が所望の画像利用アプリケーション処理部１４０を起動すると、その画像利用アプリケーション処理部１４０は、ギャラリーアプリケーション処理部１３０にサムネイル画像ＳＧの一覧表示を要求する。
【００９８】
すると、このギャラリーアプリケーション処理部１３０は、その画像利用アプリケーション処理部１４０が利用する画像データＰＤを画像データベース１１０から取得し、タッチパネル１０４に一覧表示する。
【００９９】
ただし、本実施の形態のスマートフォン２００においては、上述のように表示制御アプリケーション処理部１５０は、上述のようにサムネイル画像ＳＧをタッチパネル１０４に一覧表示するとき、画像利用アプリケーション処理部１４０の前回の起動日時ＵＴを起動日時データベース２２０から取得するとともに、複数の画像データＰＤごとに記憶日時ＳＴを画像データベース２１０から取得する。
【０１００】
そして、表示制御アプリケーション処理部１５０は、上述のように取得した記憶日時ＳＴと起動日時ＵＴとを比較し、記憶日時ＳＴが起動日時ＵＴより以後の画像データＰＤのみ画像データベース２１０から取得し、ギャラリーアプリケーション処理部１３０に転送する。
【０１０１】
そこで、このギャラリーアプリケーション処理部１３０は、表示制御アプリケーション処理部１５０から取得した画像データＰＤのサムネイル画像ＳＧのみ、タッチパネル１０４に一覧表示する。
【０１０２】
つまり、本実施の形態のスマートフォン２００は、画像利用アプリケーション処理部１４０を起動して対応する画像データＰＤのサムネイル画像ＳＧを一覧表示するとき、その画像利用アプリケーション処理部１４０の前回の起動日時ＵＴより、以後に記録された画像データＰＤのサムネイル画像ＳＧのみ一覧表示し、以前に記録された画像データＰＤのサムネイル画像ＳＧは表示しない。
【０１０３】
例えば、起動日時ＵＴ起動日時データベース２２０に、”アプリＡ”なるアプリケーションプログラムの画像利用アプリケーション処理部１４０の前回の起動日時ＵＴが“2011/12/30 18:17”と記録されており、その”アプリＡ”なる画像利用アプリケーション処理部１４０を利用者が起動したとする。
【０１０４】
この場合、ギャラリーアプリケーション処理部１３０は、”アプリＡ”なるアプリケーションプログラムの画像利用アプリケーション処理部１４０が利用する画像データＰＤを画像データベース１１０から取得し、タッチパネル１０４にサムネイル画像ＳＧを一覧表示する。
【０１０５】
ただし、このサムネイル画像ＳＧを一覧表示するとき、ギャラリーアプリケーション処理部１３０は、”アプリＡ”なるアプリケーションプログラムの画像利用アプリケーション処理部１４０で利用される全部の画像データＰＤの記憶日時ＳＴを取得し、”アプリＡ”なるアプリケーションプログラムの画像利用アプリケーション処理部１４０の前回の起動日時ＵＴと個々に比較する。
【０１０６】
例えば、”画像１”なる画像データＰＤの記憶日時ＳＴである“2011/12/31 23:55”は、”アプリＡ”なるアプリケーションプログラムの画像利用アプリケーション処理部１４０の前回の起動日時ＵＴである“2011/12/30 18:17”より以後である。従って、この”画像１”なる画像データＰＤのサムネイル画像ＳＧは表示すると判定する。
【０１０７】
一方、”画像２”なる画像データＰＤの記憶日時ＳＴである“2011/12/27 12:08”は、”アプリＡ”なるアプリケーションプログラムの画像利用アプリケーション処理部１４０の前回の起動日時ＵＴよりである“2011/12/30 18:17”以前である。従って、この”画像２”なる画像データＰＤのサムネイル画像ＳＧは表示しないと判定する。
【０１０８】
そして、ギャラリーアプリケーション処理部１３０は、”アプリＡ”なるアプリケーションプログラムの画像利用アプリケーション処理部１４０で利用される全部の画像データＰＤで、上述のようなデータ処理を完了すると、表示すると判定された画像データＰＤのサムネイル画像ＳＧのみタッチパネル１０４に一覧表示し、表示しないと判定された画像データＰＤのサムネイル画像ＳＧはタッチパネル１０４に表示しない。
【０１０９】
このとき、ギャラリーアプリケーション処理部１３０は、一覧表示した画像データＰＤから利用者が選択した画像データＰＤを”アプリＡ”なるアプリケーションプログラムの画像利用アプリケーション処理部１４０に送付する。
【０１１０】
このため、この”アプリＡ”なるアプリケーションプログラムの画像利用アプリケーション処理部１４０は、利用者が選択した画像データＰＤを利用して電車メール送信などのデータ処理を実行する。
【０１１１】
さらに、ギャラリーアプリケーション処理部１３０は、前述のように”アプリＡ”なるアプリケーションプログラムの画像利用アプリケーション処理部１４０が起動されたときに時計部１０９から現在時刻を参照し、”アプリＡ”なるアプリケーションプログラムの画像利用アプリケーション処理部１４０の前回の起動日時ＵＴを現在時刻に更新する。
【０１１２】
本実施の形態のスマートフォン２００は、上述のように電子メール送信などの特定の目的に利用する画像データＰＤを、撮影して記憶した直後に利用することが多いことに注目したものである。
【０１１３】
そこで、ある画像利用アプリケーション処理部１４０の前回の起動日時ＵＴより以前に撮影などで記憶された画像データＰＤは、その画像利用アプリケーション処理部１４０の前回の起動日時ＵＴに利用したもの、または、その画像利用アプリケーション処理部１４０では使用しないと利用者が判断したもの、とみなしてサムネイル画像ＳＧを表示しない。
【０１１４】
このため、本実施の形態のスマートフォン２００は、上述のようなデータ処理により、ギャラリーアプリケーション処理部１３０がタッチパネル１０４に一覧表示するサムネイル画像ＳＧの個数を削減する。従って、ＣＰＵ１０１の処理負担を軽減することができ、サムネイル画像ＳＧの一覧表示の処理時間も短縮することができる。
【０１１５】
さらに、本実施の形態のスマートフォン２００のデータ処理によれば、上述のようにタッチパネル１０４に一覧表示するサムネイル画像ＳＧを削減することで、利用者が全部のサムネイル画像ＳＧを探索するために必要な、画面切替操作や画面スクロール操作などの労力を軽減または無用とすることができる。
【０１１６】
従って、本実施の形態のスマートフォン２００を利用する利用者による所望のサムネイル画像ＳＧの探索時間を短縮することができ、スマートフォン２００の操作性を向上させて利用者のストレスを低減することができる。
【０１１７】
しかも、本実施の形態のスマートフォン２００は、サムネイル画像ＳＧの一覧表示のデータ処理において、そのサムネイル画像ＳＧにリンクしている画像データＰＤの任意の画像利用アプリケーション処理部１４０による利用履歴ＵＲを利用しているものの、前述した特許文献１の発明とは相違して、動画データの特徴フレームの強さなどの情報は利用していない。
【０１１８】
このため、本実施の形態のスマートフォン２００は、特許文献１に記載の発明とは相違して、画像データＰＤの内容とは無関係に、利用者の所望による画像利用アプリケーション処理部１４０での画像データＰＤの利用履歴ＵＲに、その画像利用アプリケーション処理部１４０で利用される可能性が高いと推測される画像データＰＤのサムネイル画像ＳＧを一覧表示することができる。
【０１１９】
なお、本発明は本実施の形態に限定されるものではなく、その要旨を逸脱しない範囲で各種の変形を許容する。例えば、実施の第一の形態のスマートフォン１００では一覧表示手段であるギャラリーアプリケーション処理部１３０と、表示制御手段である表示制御アプリケーション処理部１５０と、履歴リセット手段である履歴リセットアプリケーション処理部１６０と、を別体に実現していることを例示した。
【０１２０】
しかしながら、一覧表示手段であるギャラリーアプリケーション処理部１３０と、表示制御手段である表示制御アプリケーション処理部１５０と、を一体に実現していてもよく、さらに、履歴リセット手段である履歴リセットアプリケーション処理部１６０を一体に実現していてもよい（図示せず）。
【０１２１】
また、実施の第二の形態のスマートフォン２００のデータ記憶手段および履歴記憶手段を、一個の画像データベース２１０として論理的に実現していることを例示した。しかしながら、データ記憶手段および履歴記憶手段を、別体に実現していてもよい（図示せず）。
【０１２２】
また、実施の第一の形態のスマートフォン１００では、利用履歴データベース１２０が蓄積できる利用履歴ＵＲの個数が三つとなると、その三つの利用履歴ＵＲを履歴リセットアプリケーション処理部１６０がリセットすることを例示した。
【０１２３】
しかしながら、利用履歴データベース１２０が三つの利用履歴ＵＲを蓄積した状態で、新規に四つめの利用履歴ＵＲが発生すると、この新規の四つめの利用履歴ＵＲと蓄積されている三つの利用履歴ＵＲを、履歴リセットアプリケーション処理部１６０がリセットしてもよい。なお、当然ながら、上述の利用履歴ＵＲの個数は任意に設定することができる。
【０１２４】
さらに、実施の第一および第二の形態のスマートフォン１００，２００の表示制御アプリケーション処理部１５０は、ギャラリーアプリケーション処理部１３０がタッチパネル１０４に一覧表示する複数のサムネイル画像ＳＧを、対応する利用履歴ＵＲに基づいて一部に制限することを例示した。
【０１２５】
しかしながら、表示制御アプリケーション処理部１５０が、ギャラリーアプリケーション処理部１３０による複数のサムネイル画像ＳＧの一覧表示の順位を、対応する利用履歴ＵＲに基づいて変更してもよい（図示せず）。この場合、例えば、実施の第一の形態のスマートフォン１００は、まだ特定の目的に使用していない画像データＰＤを、タッチパネル１０４の上位に表示出力する。
【０１２６】
一方、特定の目的に使用した画像データＰＤを、タッチパネル１０４の下位に表示出力する（図示せず）。または、まだ特定の目的に使用していない画像データＰＤを、タッチパネル１０４の第一ページの画面に表示出力する。一方、特定の目的に使用した画像データＰＤは、タッチパネル１０４の第二ページの画面に表示出力する（図示せず）。
【０１２７】
また、実施の第二の形態のスマートフォン２００においては、画像利用アプリケーション処理部１４０の前回の起動日時ＵＴより以後に撮影した画像データＰＤは、タッチパネル１０４の上位に表示出力する。一方、画像利用アプリケーション処理部１４０の前回の起動日時ＵＴより以前に撮影した画像データＰＤは、タッチパネル１０４の下位に表示出力する（図示せず）。
【０１２８】
または、画像利用アプリケーション処理部１４０の前回の起動日時ＵＴより以後に撮影した画像データＰＤは、タッチパネル１０４の第一ページの画面に表示出力する。一方、画像利用アプリケーション処理部１４０の前回の起動日時ＵＴより以前に撮影した画像データＰＤは、タッチパネル１０４の第二ページの画面に表示出力する（図示せず）。
【０１２９】
この場合も、スマートフォン１００，２００を利用する利用者が所望のサムネイル画像ＳＧを探索する時間を短縮することができ、スマートフォン１００，２００の操作性を向上させて利用者のストレスを低減することができる。
【０１３０】
また、表示制御アプリケーション処理部１５０が、ギャラリーアプリケーション処理部１３０がタッチパネル１０４に一覧表示する複数のサムネイル画像ＳＧのサイズを、対応する利用履歴ＵＲに基づいて変更してもよい（図示せず）。この場合、例えば、実施の第一の形態のスマートフォン１００は、まだ特定の目的に使用していない画像データＰＤを大型に表示出力し、特定の目的に使用した画像データＰＤを小型に表示出力する（図示せず）。
【０１３１】
また、実施の第二の形態のスマートフォン２００は、画像利用アプリケーション処理部１４０の前回の起動日時ＵＴより以後に撮影した画像データＰＤを大型に表示出力し、画像利用アプリケーション処理部１４０の前回の起動日時ＵＴより以前に撮影した画像データＰＤを小型に表示出力する（図示せず）。この場合も、スマートフォン１００，２００を利用する利用者が所望のサムネイル画像ＳＧを探索する時間を短縮することができ、スマートフォン１００，２００の操作性を向上させて利用者のストレスを低減することができる。
【０１３２】
さらに、表示制御アプリケーション処理部１５０が、ギャラリーアプリケーション処理部１３０がタッチパネル１０４に一覧表示する複数のサムネイル画像ＳＧの表示明度を、それに対応する利用履歴ＵＲに基づいて変更してもよい（図示せず）。この場合、例えば、実施の第一の形態のスマートフォン１００においては、まだ特定の目的に使用していない画像データＰＤを高輝度に表示出力し、特定の目的に使用した画像データＰＤを低輝度に表示出力する（図示せず）。
【０１３３】
また、実施の第二の形態のスマートフォン２００は、画像利用アプリケーション処理部１４０の前回の起動日時ＵＴより以後に撮影した画像データＰＤは高輝度に表示出力する。一方、画像利用アプリケーション処理部１４０の前回の起動日時ＵＴより以前に撮影した画像データＰＤは低輝度に表示出力する（図示せず）。この場合も、スマートフォン１００，２００を利用する利用者が所望のサムネイル画像ＳＧを探索する時間を短縮することができ、スマートフォン１００，２００の操作性を向上させて利用者のストレスを低減することができる。
【０１３４】
さらに、表示制御アプリケーション処理部１５０が、ギャラリーアプリケーション処理部１３０がタッチパネル１０４に一覧表示する複数のサムネイル画像ＳＧの表示濃度を、それに対応する利用履歴ＵＲに基づいて変更してもよい（図示せず）。この場合、例えば、実施の第一の形態のスマートフォン１００は、まだ特定の目的に使用していない画像データＰＤを高濃度に表示出力し、特定の目的に使用した画像データＰＤを低濃度に表示出力する（図示せず）。
【０１３５】
また、実施の第二の形態のスマートフォン２００は、画像利用アプリケーション処理部１４０の前回の起動日時ＵＴより以後に撮影した画像データＰＤを高濃度に表示出力する。一方、画像利用アプリケーション処理部１４０の前回の起動日時ＵＴより以前に撮影した画像データＰＤを低濃度に表示出力する（図示せず）。この場合も、スマートフォン１００，２００を利用する利用者が所望のサムネイル画像ＳＧを探索する時間を短縮することができ、スマートフォン１００，２００の操作性を向上させて利用者のストレスを低減することができる。
【０１３６】
さらに、表示制御アプリケーション処理部１５０が、ギャラリーアプリケーション処理部１３０がタッチパネル１０４に一覧表示する複数のサムネイル画像ＳＧを、それに対応する利用履歴ＵＲに基づいて点滅させてもよい（図示せず）。この場合、例えば、実施の第一の形態のスマートフォン１００は、まだ特定の目的に使用していない画像データＰＤを点滅表示し、特定の目的に使用した画像データＰＤを通常表示する（図示せず）。
【０１３７】
また、実施の第二の形態のスマートフォン２００は、画像利用アプリケーション処理部１４０の前回の起動日時ＵＴより以後に撮影した画像データＰＤは点滅表示する。一方、画像利用アプリケーション処理部１４０の前回の起動日時ＵＴより以前に撮影した画像データＰＤは通常表示する（図示せず）。この場合も、スマートフォン１００，２００を利用する利用者が所望のサムネイル画像ＳＧを探索する時間を短縮することができ、スマートフォン１００，２００の操作性を向上させて利用者のストレスを低減することができる。
【０１３８】
また、上記形態では携帯端末装置がスマートフォン１００，２００からなることを例示した。しかし、このような携帯端末装置が、いわゆるタブレットコンピューター、ネットブックコンピューター、ミニノートコンピューター、等でもよい（図示せず）。
【０１３９】
さらに、上記形態では電子データとして画像データＰＤ、データ利用手段として画像利用アプリケーション処理部１４０を例示した。しかしながら、電子データとして、音声データ、動画データ、音声と動画とが同期した映像データ、テキストデータからなる電子書籍、等でもよく、データ利用手段として、音声再生アプリ、動画再生アプリ、映像再生アプリ、電子書籍リーダー、等でもよい（図示せず）。
【０１４０】
同様に、実施の第一および第二の形態のスマートフォン１００，２００においては、リンクデータとして画像データＰＤのサムネイル画像ＳＧを例示した。しかしながら、このようなリンクデータが、上述のような各種データのアイコン画像やテキストデータなどでもよい（図示せず）。
【０１４１】
さらに、本実施の形態ではスマートフォン１００，２００の各部がコンピュータプログラムにより各種機能として論理的に実現することを例示した。しかし、このような各部の各々を固有のハードウェアとして形成することもでき、ソフトウェアとハードウェアとの組み合わせとして実現することもできる。
【０１４２】
なお、当然ながら、上述した実施の形態および複数の変形例は、その内容が相反しない範囲で組み合わせることができる。また、上述した実施の形態および変形例においては、各部の構造などを具体的に説明したが、その構造などは本願発明を満足する範囲で各種に変更することができる。
【０１４３】
また、上記形態の一部ないし全部は、以下の付記のようにも記載されうるが、以下の記載に限定されるものではない。
【０１４４】
（付記１）
複数の電子データを記憶するデータ記憶手段と、複数の上記電子データの各々へのリンクデータを一覧表示する一覧表示手段と、一覧表示された上記リンクデータの選択操作により、そのリンクデータにリンクしている上記電子データを利用するデータ利用手段と、上記データ利用手段が上記電子データを利用すると、その電子データにリンクさせて、そのデータ利用手段による利用履歴を記憶する履歴記憶手段と、上記リンクデータを上記一覧表示手段が一覧表示するとき、そのリンクデータにリンクしている上記電子データの上記利用履歴の有無に基づいて上記リンクデータの表示を制御する表示制御手段と、を有する携帯端末装置。
【０１４５】
（付記２）
複数の電子データを記憶するデータ記憶手段と、複数の上記電子データにリンクさせて上記データ記憶手段による記憶タイミングを記憶するタイミング記憶手段と、複数の上記電子データの各々へのリンクデータを一覧表示する一覧表示手段と、一覧表示された上記リンクデータの選択操作により、そのリンクデータにリンクしている上記電子データを利用するデータ利用手段と、上記データ利用手段が上記電子データを利用すると、その電子データにリンクさせて、そのデータ利用手段による利用タイミングを記憶して更新する履歴記憶手段と、上記リンクデータを上記一覧表示手段が一覧表示するとき、そのリンクデータにリンクしている上記電子データの上記利用タイミングと上記記憶タイミングとの相対関係に基づいて上記リンクデータの表示を制御する表示制御手段と、を有する携帯端末装置。
【０１４６】
（付記３）
上記表示制御手段は、上記利用履歴が対応して記憶されていない上記電子データにリンクしている上記リンクデータのみ上記一覧表示手段に一覧表示させる、付記１に記載の携帯端末装置。
【０１４７】
（付記４）
上記表示制御手段は、上記利用タイミングが上記記憶タイミングより以後の上記電子データにリンクしている上記リンクデータのみ上記一覧表示手段に一覧表示させる、付記２に記載の携帯端末装置。
【０１４８】
（付記５）
携帯端末装置のデータ処理方法であって、複数の電子データを記憶するデータ記憶工程と、複数の上記電子データの各々へのリンクデータを一覧表示する一覧表示工程と、一覧表示された上記リンクデータの選択操作により、そのリンクデータにリンクしている上記電子データを利用するデータ利用工程と、上記データ利用工程で上記電子データが利用されると、その電子データにリンクさせて、そのデータ利用工程での利用履歴を記憶する履歴記憶工程と、上記リンクデータを一覧表示するときに、リンクしている上記電子データの上記利用履歴の有無に基づいて上記リンクデータの表示を制御する表示制御工程と、を有するデータ処理方法。
【０１４９】
（付記６）
携帯端末装置のデータ処理方法であって、複数の電子データを記憶するデータ記憶工程と、複数の上記電子データにリンクさせて上記データ記憶工程による記憶タイミングを記憶するタイミング記憶工程と、複数の上記電子データの各々へのリンクデータを一覧表示する一覧表示工程と、一覧表示された上記リンクデータの選択操作により、そのリンクデータにリンクしている上記電子データを利用するデータ利用工程と、上記データ利用工程で上記電子データが利用されると、その電子データにリンクさせて、そのデータ利用工程での利用タイミングを記憶して更新する履歴記憶工程と、上記リンクデータを一覧表示するときに、リンクしている上記電子データの上記利用タイミングと上記記憶タイミングとの相対関係に基づいて上記リンクデータの表示を制御する表示制御工程と、を有するデータ処理方法。
【０１５０】
（付記７）
携帯端末装置のコンピュータプログラムであって、複数の電子データを記憶するデータ記憶処理と、複数の上記電子データの各々へのリンクデータを一覧表示する一覧表示処理と、一覧表示された上記リンクデータの選択操作により、そのリンクデータにリンクしている上記電子データを利用するデータ利用処理と、上記データ利用処理で上記電子データが利用されると、その電子データにリンクさせて、そのデータ利用処理での利用履歴を記憶する履歴記憶処理と、上記リンクデータを一覧表示するときに、リンクしている上記電子データの上記利用履歴の有無に基づいて上記リンクデータの表示を制御する表示制御処理と、を上記携帯端末装置に実行させるコンピュータプログラム。
【０１５１】
（付記８）
携帯端末装置のコンピュータプログラムであって、複数の電子データを記憶するデータ記憶処理と、複数の上記電子データにリンクさせて上記データ記憶処理による記憶タイミングを記憶するタイミング記憶処理と、複数の上記電子データの各々へのリンクデータを一覧表示する一覧表示処理と、一覧表示された上記リンクデータの選択操作により、そのリンクデータにリンクしている上記電子データを利用するデータ利用処理と、上記データ利用処理で上記電子データが利用されると、その電子データにリンクさせて、そのデータ利用処理での利用タイミングを記憶して更新する履歴記憶処理と、上記リンクデータを一覧表示するときに、リンクしている上記電子データの上記利用タイミングと上記記憶タイミングとの相対関係に基づいて上記リンクデータの表示を制御する表示制御処理と、を上記携帯端末装置に実行させるコンピュータプログラム。
【０１５２】
（付記９）
付記１に記載の携帯端末装置のアプリケーションプログラムであって、上記データ利用処理で上記電子データが利用されると、その電子データにリンクさせて、そのデータ利用処理による利用履歴を記憶する履歴記憶処理と、上記リンクデータを上記一覧表示処理で一覧表示するとき、そのリンクデータにリンクしている上記電子データの上記利用履歴の有無に基づいて上記リンクデータの表示を制御する表示制御処理とを、上記携帯端末装置に実行させるアプリケーションプログラム。
【０１５３】
（付記１０）
付記２に記載の携帯端末装置のアプリケーションプログラムであって、複数の上記電子データにリンクさせて上記データ記憶手段による記憶タイミングを記憶するタイミング記憶手段と、上記データ利用手段が上記電子データを利用すると、その電子データにリンクさせて、そのデータ利用手段による利用タイミングを記憶して更新する履歴記憶手段と、上記リンクデータを上記一覧表示手段が一覧表示するとき、そのリンクデータにリンクしている上記電子データの上記利用タイミングと上記記憶タイミングとの相対関係に基づいて上記リンクデータの表示を制御する表示制御手段とを、上記携帯端末装置に実行させるアプリケーションプログラム。
【０１５４】
（付記１１）
所定条件が発生した上記電子データに対応して記憶されている複数の上記利用履歴をリセットする履歴リセット手段も有する、付記１または３に記載の携帯端末装置。
【０１５５】
（付記１２）
上記履歴リセット手段は、上記電子データにリンクさせて上記利用履歴の記憶個数が規定個数に到達した上記利用履歴をリセットする、付記１１に記載の携帯端末装置。
【０１５６】
（付記１３）
上記表示制御手段は、上記一覧表示手段による複数の上記リンクデータの一覧表示の順位をリンクしている上記電子データの上記利用履歴に基づいて変更する、付記１に記載の携帯端末装置。
【０１５７】
（付記１４）
上記表示制御手段は、上記一覧表示手段による複数の上記リンクデータの一覧表示の順位をリンクしている上記電子データの上記利用タイミングと上記記憶タイミングとの相対関係に基づいて変更する、付記２に記載の携帯端末装置。
【０１５８】
（付記１５）
上記表示制御手段は、上記一覧表示手段が一覧表示する複数の上記リンクデータのサイズをリンクしている上記電子データの上記利用履歴に基づいて変更する、付記１に記載の携帯端末装置。
【０１５９】
（付記１６）
上記表示制御手段は、上記一覧表示手段が一覧表示する複数の上記リンクデータのサイズをリンクしている上記電子データの上記利用タイミングと上記記憶タイミングとの相対関係に基づいて変更する、付記２に記載の携帯端末装置。
【０１６０】
（付記１７）
上記表示制御手段は、上記一覧表示手段が一覧表示する複数の上記リンクデータの表示明度をリンクしている上記電子データの上記利用履歴に基づいて変更する、付記１に記載の携帯端末装置。
【０１６１】
（付記１８）
上記表示制御手段は、上記一覧表示手段が一覧表示する複数の上記リンクデータの表示明度をリンクしている上記電子データの上記利用タイミングと上記記憶タイミングとの相対関係に基づいて変更する、付記３に記載の携帯端末装置。
【０１６２】
（付記１９）
上記表示制御手段は、上記一覧表示手段が一覧表示する複数の上記リンクデータの表示濃度をリンクしている上記電子データの上記利用履歴に基づいて変更する、付記１に記載の携帯端末装置。
【０１６３】
（付記２０）
上記表示制御手段は、上記一覧表示手段が一覧表示する複数の上記リンクデータの表示濃度をリンクしている上記電子データの上記利用タイミングと上記記憶タイミングとの相対関係に基づいて変更する、付記１に記載の携帯端末装置。
【０１６４】
（付記２１）
上記表示制御手段は、上記一覧表示手段が一覧表示する複数の上記リンクデータをリンクしている上記電子データの上記利用履歴に基づいて点滅させる、付記１に記載の携帯端末装置。
【０１６５】
（付記２２）
上記表示制御手段は、上記一覧表示手段が一覧表示する複数の上記リンクデータをリンクしている上記電子データの上記利用タイミングと上記記憶タイミングとの相対関係に基づいて点滅させる、付記１に記載の携帯端末装置。
【符号の説明】
【０１６６】
１００  スマートフォン
１１０  データ記憶手段である画像データベース
１２０  履歴記憶手段である利用履歴データベース
１３０  ギャラリーアプリケーション処理部
１４０  画像利用アプリケーション処理部
１５０  表示制御アプリケーション処理部
１６０  履歴リセットアプリケーション処理部
ＰＤ  画像データ
ＳＧ  リンクデータであるサムネイル画像
ＳＴ  記憶日時
ＵＲ  利用履歴
ＵＴ  起動日時
【図１】
2013246488.tif 000003
【図２】
2013246488.tif 000004
【図３】
2013246488.tif 000005
【図４】
2013246488.tif 000006
【図５】
2013246488.tif 000007
【図６】
2013246488.tif 000008
【図７】
2013246488.tif 000009
【図８】
2013246488.tif 000010
【図９】
2013246488.tif 000011
【図１０】
2013246488.tif 000012